(57)【要約】  本発明は、Ｃ：０．０７〜０．１５、Ｍｎ：２．３〜３．２、Ｓｉ：０．６〜１．２、Ｃｒ：０．０５〜０．５、Ａｌ≦０．２、Ｎｂ≦０．１、及び残部が不純物とは別にＦｅからなる組成、ベイニチィックフェライトのマトリックスを有するミクロ組織、並びに９８０〜１１００ＭＰａの引張強さ（Ｒｍ）を有する、高強度冷間圧延鋼板に関する。【選択図】なし【特許請求の範囲】
【請求項１】
下記を有する、高強度冷間圧延鋼板：
ａ）下記の元素からなる組成（重量％）：
Ｃ      ０．０７〜０．１５
Ｍｎ    ２．３〜３．２
Ｓｉ    ０．６〜１．２
Ｃｒ    ０．０５〜０．５
Ａｌ    ≦０．２
Ｎｂ    ≦０．１
残部が不純物とは別にＦｅ、
ｂ）ベイニティックフェライトのマトリックスを有する多相ミクロ組織、
ｃ）９８０〜１１００ＭＰａの引張強さ（Ｒｍ）
【請求項２】
下記の要件の少なくとも一つを満たす、請求項１に記載の高強度冷間圧延鋼板：
ａ）下記の要件の少なくとも一つを満たす、組成（重量％）：
Ｃ              ０．０８〜０．１４
Ｍｎ            ２．４〜３．１
Ｓｉ            ０．７〜１．１
Ｃｒ            ０．０５〜０．４５
Ａｌ            ０．００５〜０．１
Ｎｂ            ≦０．０５
少なくとも一つの要件を満たす不純物：
Ｔｉ            ≦０．０５
Ｍｏ            ≦０．０５
Ｎ              ≦０．０１５
Ｂ              ≦０．００５
残部が不純物とは別にＦｅ、
ｂ）少なくとも一つの下記を有する多相ミクロ組織（体積％）
残留オーステナイト            ２〜２０
マルテンサイト                ≦１５
ベイニティックフェライト      ≧５０
ポリゴナルフェライト          ≧１０
ｃ）少なくとも一つの下記機械的性質
引張強さ（Ｒｍ）                ９９０〜１１００ＭＰａ
降伏強度（Ｒｐ０．２）          ５８０〜９２０ＭＰａ
全伸び（Ａ５０）                ≧１３％
穴広げ率（λ）                  ≧５０％
降伏比（Ｒｐ０．２／Ｒｍ）      ≧０．７５
【請求項３】
下記を有する、請求項１又は２に記載の高強度冷間圧延鋼板：
ａ）少なくとも一つの下記要件を満たす組成（重量％）
Ｃ              ０．０８〜０．１３
Ｍｎ            ２．５〜３．０
Ｓｉ            ０．７５〜１．０５
Ｃｒ            ０．１〜０．４
Ｓｉ＋Ｃｒ      ０．９〜１．３
Ａｌ            ０．０１〜０．０８
Ｎｂ            ≦０．０１
少なくとも一つの要件を満たす不純物：
Ｔｉ            ≦０．０２
Ｖ              ≦０．０２
Ｍｏ            ≦０．０３
Ｎ              ≦０．００８
Ｂ              ≦０．００３
残部が不純物とは別にＦｅ、
ｂ）下記を有する多相ミクロ組織（体積％）
残留オーステナイト            ５〜１５
マルテンサイト                ≦１０
ベイニティックフェライト      ≧６０
ポリゴナルフェライト          ≦５
ｃ）少なくとも一つの下記機械的性質
引張強さ（Ｒｍ）                １０００〜１１００ＭＰａ
降伏強度（Ｒｐ０．２）          ７５０〜９００ＭＰａ
穴広げ率（λ）                  ≧６０％
降伏比（Ｒｐ０．２／Ｒｍ）      ０．７６〜０．８５
【請求項４】
少なくとも一つの下記要件を満たす、請求項１〜３のいずれか一項に記載の高強度冷間圧延鋼板：
ａ）少なくとも一つの下記要件を満たす組成（重量％）
Ｃ              ０．０９〜０．１２
Ｍｎ            ２．５〜２．９
Ｓｉ            ０．７５〜１．０
Ｃｒ            ０．１〜０．３
Ｓｉ＋Ｃｒ      ０．９〜１．２
Ａｌ            ０．０１〜０．０５
少なくとも一つの要件を満たす不純物：
Ｔｉ            ≦０．０１
Ｖ              ≦０．０２
Ｍｏ            ≦０．０３
Ｎ              ≦０．００８
Ｂ              ≦０．００３
残部が不純物とは別にＦｅ、
ｃ）少なくとも一つの下記機械的性質
引張強さ（Ｒｍ）                ≧１０２０ＭＰａ
降伏強度（Ｒｐ０．２）          ≧８００ＭＰａ
降伏比（Ｒｐ０．２／Ｒｍ）      ≧０．７８
【請求項５】
下記要件を満たす、請求項１又は２に記載の高強度冷間圧延鋼板：
ａ）下記からなる組成（重量％）
Ｃ              ０．０８〜０．１４
Ｍｎ            ２．４〜３．１
Ｓｉ            ０．７〜１．１
Ｃｒ            ０．０５〜０．４５
Ａｌ            ０．００５〜０．１
Ｎｂ            ≦０．０５
下記要件を満たす不純物：
Ｔｉ            ≦０．０５
Ｍｏ            ≦０．０５
Ｎ              ≦０．０１５
Ｂ              ≦０．００５
残部が不純物とは別にＦｅ
及び／又は
ｂ）下記を有する多相ミクロ組織（体積％）
残留オーステナイト            ２〜２０
マルテンサイト                ≦１５
ベイニティックフェライト      ≧５０
ポリゴナルフェライト          ≦１０、
及び/又は
ｃ）下記機械的性質
引張強さ（Ｒｍ）                １０００〜１１００ＭＰａ
降伏強度（Ｒｐ０．２）          ５８０〜９２０ＭＰａ
全伸び（Ａ５０）                ≧１３％
穴広げ率（λ）                  ≧５０％
降伏比（Ｒｐ０．２／Ｒｍ）      ≦０．８４
【請求項６】
下記要件を満たす、請求項３に記載の高強度冷間圧延鋼板：
ａ）下記要件を満たす組成（重量％）
Ｃ              ０．０８〜０．１３
Ｍｎ            ２．５〜３．０
Ｓｉ            ０．７〜１．１
Ｃｒ            ０．１〜０．４
Ｓｉ＋Ｃｒ      ０．９〜１．３
Ａｌ            ０．０１〜０．０８
下記要件を満たす不純物：
Ｔｉ            ≦０．０２
Ｖ              ≦０．０２
Ｍｏ            ≦０．０３
Ｎ              ≦０．００８
Ｂ              ≦０．００３
残部が不純物とは別にＦｅ、
及び／又は
ｂ）下記を有する多相ミクロ組織（体積％）
残留オーステナイト            ５〜１５
マルテンサイト                ≦１０
ベイニティックフェライト      ≧６０
ポリゴナルフェライト          ≦５
及び/又は
ｃ）下記機械的性質
引張強さ（Ｒｍ）                １０００〜１１００ＭＰａ
降伏強度（Ｒｐ０．２）          ７５０〜９００ＭＰａ
穴広げ率（λ）                  ≧６０％
降伏比（Ｒｐ０．２／Ｒｍ）      ０．７８〜０．８３
【請求項７】
下記要件を満たす、請求項１〜６のいずれか一項に記載の高強度冷間圧延鋼板：
ａ）下記要件を満たす組成（重量％）
Ｃ              ０．０９〜０．１２
Ｍｎ            ２．５〜２．９
Ｓｉ            ０．７〜１．１
Ｃｒ            ０．１〜０．３
Ｓｉ＋Ｃｒ      ０．９〜１．２
Ａｌ            ０．０１〜０．０５
下記要件を満たす不純物：
Ｔｉ            ≦０．０１
Ｖ              ≦０．０２
Ｍｏ            ≦０．０３
Ｎ              ≦０．００８
Ｂ              ≦０．００３
残部が不純物とは別にＦｅ、
及び／又は
ｃ）下記機械的性質
引張強さ（Ｒｍ）                １０００〜１１００ＭＰａ
降伏強度（Ｒｐ０．２）          ７５０〜９２０ＭＰａ
全伸び（Ａ５０）                ≧１３％
穴広げ率（λ）                  ≧５０％
降伏比（Ｒｐ０．２／Ｒｍ）      ０．７８〜０．８２
【請求項８】
前記冷間圧延鋼板の厚さが１．０〜１．６ｍｍである、請求項１〜７のいずれか一項に記載の高強度冷間圧延鋼板。
【請求項９】
ベイニティックフェライト及び焼戻しマルテンサイトの合計量が７０〜９０体積％である、請求項１〜８のいずれか一項に記載の高強度冷間圧延鋼板。
【請求項１０】
引張強さ（Ｒｍ）と全伸び（Ａ５０）の積が１３０００ＭＰａ％以上である、請求項１〜９のいずれか一項に記載の高強度冷間圧延鋼板。
【発明の詳細な説明】
【技術分野】
【０００１】
本発明は、自動車に適用して好適な高強度鋼板に関する。本発明は、特に、少なくとも９８０ＭＰａの引張強さ及び優れた成形性有する冷間圧延鋼板に関する。
【背景技術】
【０００２】
多様な用途で、車体質量の減少は燃料消費の低減をもたらすので、特に自動車産業における軽量化構造のためには、強度レベルの向上が必須条件である。
【０００３】
自動車の車体部品は、しばしば、鋼板から打ち抜かれ、薄板の複雑な構造部材を形成する。しかし、このような部品は、複雑な構造部品に対する成形性の低さから、従来の高強度鋼板から製造することはできない。このようなことから、多相変態誘起塑性鋼（ＴＲＩＰ鋼）が、近年、特に、自動車の車体用及びシートフレーム材料として、非常に注目されている。
【０００４】
ＴＲＩＰ鋼は、多相ミクロ組織を有しており、ＴＲＩＰ効果を生じせしめる準安定残留オーステナイト相を含む。鋼板が変形すると、オーステナイトはマルテンサイトに変態し、顕著に加工硬化する。この硬化作用は、材料のネッキングを防ぎ、鋼板の成形工程での不具合を遅らせる。ＴＲＩＰ鋼のミクロ組織は、その機械的性質を大きく左右する。ＴＲＩＰ鋼のミクロ組織の最も重要な側面は、残留オーステナイトの体積百分率、サイズ及び形態であり、これらの特性は、鋼板が変形するとき、オーステナイトからマルテンサイトへの変態に直接影響を及ぼす。常温で化学的にオーステナイトを安定化させる幾つかの方法がある。低合金ＴＲＩＰ鋼においては、オーステナイトは、その炭素量及び小さいオーステナイト粒で安定化される。オーステナイトを安定化させるには、約１重量％の炭素含有量が必要である。しかし、溶接性が低下することから、多くの用途で、鋼中に多くの炭素を含有させることはできない。このことから、炭素をオーステナイト中に多く含有させて、室温でオーステナイトを安定化させるには、特別な処理方法が必要である。一般的なＴＲＩＰ鋼の化学組成においては、炭素をオーステナイトに分配するミクロ組織の形成を助けるためだけでなく、オーステナイトの安定化を助ける他元素も少量含まれている。ベイナイト変態中にオーステナイトが分解することを抑制するためには、約１．５重量％のＳｉの含有量が必要であると一般的に考えられている。最も一般的な合金添加は、ＳｉとＭｎの両方を１．５重量％添加することである。
【０００５】
ベイニティックフェライトマトリックス（ＴＢＦ）鋼を有するＴＲＩＰ型鋼板が、古くから知られており、多くの関心を集めてきた主な理由は、ベイニティックフェライトマトリックスが、優れた伸びフランジ性を可能とするためである。また、準安定残留オーステナイト島のマルテンサイトへの歪誘起変態が可能にするＴＲＩＰ効果は、絞り性を著しく向上させる。
【０００６】
ＴＲＩＰ鋼の成形性は、主として、残留オーステナイトの変態特性の影響を受け、オーステナイトの化学的性質、形態その他の影響を受ける。ＩＳＩＪインターナショナル  Ｖｏｌ．５０（２０１０）、Ｎｏ．１、ｐ．１６２〜１６８においては、少なくとも９８０ＭＰａの引張強さを有するＴＢＦ鋼の成形性に影響を及ぼす態様について議論されている。しかし、この文献で調査された冷間圧延材料は、９５０℃でアニールされ、塩浴中で、３００〜５００℃で２００秒にわたりオーステンパされている。このことから、高温のアニール温度によって、これらの材料は、従来の工業用アニールラインで生産するのに適さない。
【０００７】
しかし、ＴＢＦ鋼で、Ｓｉを多く含有することは、一般的に、ストリップの表面に酸化珪素を形成することになり、連続アニールライン（ＣＡＬ）でのロールへの貼り付きにつながり、製造された鋼板の表面欠陥につながる。そのため、近年では、ＴＢＦ鋼におけるシリコン量の低減が図られている。
【０００８】
ＷＯ２０１３／１４４３７７には、Ｓｉ及びＡｌで合金化され、少なくとも９８０ＭＰａの引張強さを有する冷間圧延ＴＢＦ鋼板が開示されている。ＷＯ２０１３／１４４３７６には、Ｓｉ及びＣｒで合金化され、少なくとも９８０ＭＰａの引張強さを有する冷間圧延ＴＢＦ鋼が開示されている。これらの鋼は、幾つかの魅力的な特性を示すが、進歩的な成形法についての改善された特性プロファイルを有する９８０ＭＰａ級の鋼板が求められており、自動車用シートの構造部材などでは、局部伸び及び全伸びの両方が重要である。
【発明の概要】
【発明が解決しようとする課題】
【０００９】
本発明は、９８０〜１１００ＭＰａの引張強さ及び優れた成形性を有する高強度（ＴＢＦ）鋼板に関するものであり、その鋼板は連続アニールライン（ＣＡＬ）を用いて工業的規模で製造することが可能なものである。本発明は、複雑な構造部材に成形可能である鋼組成物を提供することを目的とし、特に、自動車用シート部材にとって局部伸びと全伸びの両方が重要である。しかし、全伸びが増加しているときには、穴広げ率（ＨＥＲ）又は（λ）のような局部伸びで規定されている特性は劣化していると、一般的には考えられている。
【発明を実施するための形態】
【００１０】
本発明は、特許請求の範囲に記載される。
【００１１】
本鋼板は、下記合金元素からなる組成を有する（重量％）：
Ｃ      ０．０７〜０．１５
Ｍｎ    ２．３〜３．２
Ｓｉ    ０．６〜１．２
Ｃｒ    ０．０５〜０．５
Ａｌ    ≦０．２
Ｎｂ    ≦０．０５
残部が鉄及び不純物からなる。
【００１２】
個別の元素の重要性及びそれらの相互作用並びに特許請求される合金の化学成分の限定は、以下に簡潔に説明される。本明細書において、鋼の化学組成は、すべて、重量百分率（重量％）で表される。硬質相の量は、体積百分率（体積％）で表される。個々の元素の上下限は、特許請求の範囲に記載された限度内で自由に組み合わせることができる。
【００１３】
Ｃ：０．０７〜０．１５％
Ｃは、オーステナイトを安定させ、残留オーステナイト相中に充分な炭素量を得るのに重要である。Ｃはまた、所望の強度レベルを得るのに重要である。一般に、０．１％Ｃあたり１００ＭＰａオーダーの引張強さの増加が期待できる。Ｃが０．０７％未満であると、９８０ＭＰａの引張強度を得ることが難しい。Ｃが０．１５％を超えると、溶接性が損なわれる。上限は、０．１４、０．１３、又は０．１２％であってよい。下限は、０．０８、０．０９又は０．１０％であってよい。好ましい範囲は０．０８〜０．１３％である。
【００１４】
Ｍｎ：２．３〜３．２％
マンガンは固溶強化元素であり、Ｍｓ温度を下げることによりオーステナイトを安定化させ、冷却中にフェライトとパーライトが生成するのを防ぐ。また、ＭｎはＡｃ３温度を下げ、オーステナイトの安定に重要である。２．３％未満の含有量では、所望の量の残留オーステナイト及び９８０ＭＰａの引張強さを得ることが困難であり、オーステナイト化温度は従来の工業用アニールラインでは高すぎる可能性がある。また、低い含有量では、ポリゴナルフェライトの生成を回避することが難しい。しかし、Ｍｎの含有量が３．２％を超えると、偏析の問題が発生し、加工性が低下するおそれがある。これは、Ｍｎが液相中に蓄積し、バンディングが発生して、潜在的に劣化した加工性につながる。このことから、上限は、３．１、３．０、２．９、２．８、又は２．７％であってよい。下限は、２．３、２．４、又は２．５％であってよい。
【００１５】
Ｓｉ：０．６〜１．２％
Ｓｉは固溶強化元素として作用し、鋼板の強度を確保する上で重要である。Ｓｉはセメンタイトの析出を抑制し、オーステナイトの安定に不可欠である。
【００１６】
しかし、含有量が多すぎると、ストリップの表面に酸化珪素を多量に生じて、ＣＡＬのロール上で付着し、製造された鋼板の表面欠陥につながる。したがって、上限は１．２％であり、１．１、１．０５、１．０、又は０．９５％に制限されてもよい。下限は、０．６５、０．７、０．７５、又は０．８０％であってよい。好ましい範囲は、０．７〜１．０％である。
【００１７】
Ｃｒ：０．０５〜０．５％
Ｃｒは、鋼板の強度向上に有効である。Ｃｒは、フェライトを生成し、パーライト及びベイナイトの生成を遅らせる元素である。Ａｃ３温度およびＭｓ温度は、Ｃｒ含有量が増加するにつれて僅かに低下する。Ｃｒは、安定化された残留オーステナイトの量の増加をもたらす。Ｃｒの含有量は０．７％に制限される。上限は、０．６５、０．６０、０．５５、０．５０、０．４５、又は０．４０、０．３５、０．３０、又は０．２５％であってよい。下限は、０．１０又は０．１５％であってよい。好ましい範囲は、０．１〜０．３％である。
【００１８】
Ｓｉ＋Ｃｒ：０．９〜１．３％
Ｓｉ＋Ｃｒの量は、０．９〜１．３％の範囲であることが好ましい。これは、ＳｉとＣｒを組み合わせて添加すると、相乗効果が得られ、残留オーステナイトの量が増加して、延性が改善する。これらのことから、Ｓｉ＋Ｃｒの量は、好ましくは、０．９〜１．２％の範囲に制限される。
【００１９】
Ａｌ：≦０．２％
Ａｌは、フェライト形成を促進し、また、脱酸剤として一般的に用いられる。Ａｌ含有量が増加すると、Ｍｓ温度が上昇する。Ａｌのさらなる欠点は、Ａｃ３温度が劇的に上昇して、ＣＡＬで鋼をオーステナイト化することが一層困難になることである。これらの理由から、Ａｌの含有量は、好ましくは０．１％未満、より好ましくは０．０８％未満に制限される。したがって、Ａｌは、脱酸のためにだけ使用されることが好ましい。このとき、上限は、０．０９、０．０８、０．０７、又は０．０６％であってよい。確実な効果を確保するためには、下限は、０．００５、０．０１、０．０２、又は０．０３％に設定されてもよい。
【００２０】
Ｎｂ：＜０．１％
Ｎｂは、低合金鋼では、強度及び靭性を改善するために、一般的に用いられるが、これは、粒度に影響を与えるためである。Ｎｂが強度と伸びのバランスを向上させるのは、ＮｂＣが析出して、マトリックスのミクロ組織及び残留オーステナイト相を微細化することによる。本鋼は、０．０５％以下、好ましくは０．０３％以下の量のＮｂを含有してよい。本発明によれば、意図的にＮｂを添加する必要はない。したがって、上限は、０．０１％以下に制限されてもよい。
【００２１】
本発明の高強度ＴＲＩＰ補助ベイニティックフェライト鋼板は、マトリックスに埋め込まれた主として残留オーステナイト介在物からなるミクロ組織を有する。
【００２２】
ミクロ組織の構成要件は、体積％（ｖｏｌ．％）で、次のように表される。
【００２３】
本鋼は、ベイニティックフェライト（ＢＦ）のマトリックスを有する。そのため、ベイニティックフェライトの量は、一般的に≧５０％であり、≧５５％、≧６０％、又は≧６５％であってよい。ミクロ組織は、焼戻しマルテンサイト（ＴＭ）を含んでもよい。ＢＦとＴＭの構成要素を互いに区別することは難しい。そのため、両構成要素の合計量は、７０〜９０％に制限されていてよい。その量は、通常、８０〜９０％の範囲である。
【００２４】
マルテンサイトは、最終ミクロ組織中に存在していてよい。これは、その安定性によって、過時効工程の終段での冷却によって、マルテンサイトに変態するオーステナイトがあってもよいためである。マルテンサイトは、１５％以下の量で存在してよい。焼戻しされていないマルテンサイトは、１０、９、８、７、６、又は５％以下に制限されていることが好ましい。これらの焼戻しされていないマルテンサイト粒子は、残留オーステナイト粒子と近接していることが多く、そのことから、これらは、マルテンサイト−オーステナイト（ＭＡ）粒子と呼ばれることが多い。
【００２５】
残留オーステナイトは、所望のＴＲＩＰ効果を得るのに必須である。したがって、残留オーステナイトの量は、２〜２０％の範囲であるべきであり、好ましくは５〜１５％の範囲である。残留オーステナイトの量は、Ｐｒｏｃ．  Ｉｎｔ．  Ｃｏｎｆ．  ｏｎ  ＴＲＩＰ−ａｉｄｅｄ  ｈｉｇｈ  ｓｔｒｅｎｇｔｈ  ｆｅｒｒｏｕｓ  ａｌｌｏｙｅ  （２００２），  Ｇｈｅｎｔ，  ｂｅｌｇｉｕｍ，  ｐ．６１−６４に詳細が記載されている飽和磁化法により測定した。
【００２６】
ポリゴナルフェライト（ＰＦ）は、望ましいミクロ組織構成要素ではない。したがって、１０％以下、好ましくは５％以下、３％以下、又は１％以下に制限する。最も好ましくは、本鋼には、ＰＦがないことである。
【００２７】
特許請求の範囲に記載される鋼の機械的性質は重要であり、次の要件の少なくとも一つを満たすべきである：
引張強さ（Ｒｍ）                ９８０〜１１００ＭＰａ
降伏強度（Ｒｐ０．２）          ５８０〜９２０ＭＰａ
全伸び（Ａ５０）                ≧１３％
穴広げ率（λ）                  ≧５０％
降伏比（Ｒｐ０．２／Ｒｍ）      ≧０．７５％
好ましくは、これら全ての要件を同時に満たす。
【００２８】
Ｒｍ及びＲｐ０．２の値は、ストリップの長手方向から採取された試験片を用いて、欧州標準ＥＮ１０００２Ｐａｒｔ  １に基づいて求められる。全伸び（Ａ５０）は、ストリップの横断方向から採取された試験片を用い、日本工業規格ＪＩＳ  Ｚ２２４１：２０１１に基づいて求められる。
【００２９】
本発明の鋼板の機械的性質は、合金組成及びミクロ組織によって、大いに調整できる。ミクロ組織は、ＣＡＬでの熱処理、特に過時効工程での等温処理温度によって、大いに調整できる。
【００３０】
本発明の一態様によれば、下記を有する高強度冷間圧延鋼板が提供される：
ａ）下記の元素からなる組成（重量％）：
Ｃ      ０．０７〜０．１５
Ｍｎ    ２．３〜３．１２
Ｓｉ    ０．６〜１．２
Ｃｒ    ０．０５〜０．５
Ａｌ    ≦０．２
Ｎｂ    ≦０．１
残部が不純物とは別にＦｅ、
ｂ）ベイニティックフェライトのマトリックスを有する多相ミクロ組織、
ｃ）９８０〜１１００ＭＰａの引張強さ（Ｒｍ）
【００３１】
本発明の別の態様によれば、下記の要件の少なくとも一つを満たす、高強度冷間圧延鋼板が提供される：
ａ）下記の要件の少なくとも一つを満たす、組成（重量％）：
Ｃ              ０．０８〜０．１４
Ｍｎ            ２．４〜３．１
Ｓｉ            ０．７〜１．１
Ｃｒ            ０．０５〜０．４５
Ａｌ            ０．００５〜０．１
Ｎｂ            ≦０．０５
少なくとも一つの要件を満たす不純物：
Ｔｉ            ≦０．０５
Ｍｏ            ≦０．０５
Ｎ              ≦０．０１５
Ｂ              ≦０．００５
残部が不純物とは別にＦｅ、
ｂ）少なくとも一つの下記を有する多相ミクロ組織（体積％）
残留オーステナイト            ２〜２０
マルテンサイト                ≦１５
ベイニティックフェライト      ≧５０
ポリゴナルフェライト          ≧１０
ｃ）少なくとも一つの下記機械的性質
引張強さ（Ｒｍ）              ９９０〜１１００ＭＰａ
降伏強度（Ｒｐ０．２）        ５８０〜９２０ＭＰａ
全伸び（Ａ５０）              ≧１３％
穴広げ率（λ）                ≧５０％
降伏比（Ｒｐ０．２／Ｒｍ）    ≧０．７５
【００３２】
本発明の別の態様によれば、下記を有する高強度冷間圧延鋼板が提供される：
ａ）少なくとも一つの下記要件を満たす組成（重量％）
Ｃ              ０．０８〜０．１３
Ｍｎ            ２．５〜３．０
Ｓｉ            ０．７５〜１．０５
Ｃｒ            ０．１〜０．４
Ｓｉ＋Ｃｒ      ０．９〜１．３
Ａｌ            ０．０１〜０．０８
Ｎｂ            ≦０．０１
少なくとも一つの要件を満たす不純物：
Ｔｉ            ≦０．０２
Ｖ              ≦０．０２
Ｍｏ            ≦０．０３
Ｎ              ≦０．００８
Ｂ              ≦０．００３
残部が不純物とは別にＦｅ、
ｂ）下記を有する多相ミクロ組織（体積％）
残留オーステナイト            ５〜１５
マルテンサイト                ≦１０
ベイニティックフェライト      ≧６０
ポリゴナルフェライト          ≦５
ｃ）少なくとも一つの下記機械的性質
引張強さ（Ｒｍ）              １０００〜１１００ＭＰａ
降伏強度（Ｒｐ０．２）        ７５０〜９００ＭＰａ
穴広げ率（λ）                ≧６０％
降伏比（Ｒｐ０．２／Ｒｍ）    ０．７６〜０．８５
【００３３】
本発明の別の態様によれば、下記の要件の少なくとも一つを満たす、高強度冷間圧延鋼板が提供される：
ａ）少なくとも一つの下記要件を満たす組成（重量％）
Ｃ              ０．０９〜０．１２
Ｍｎ            ２．５〜２．９
Ｓｉ            ０．７５〜１．０
Ｃｒ            ０．１〜０．３
Ｓｉ＋Ｃｒ      ０．９〜１．２
Ａｌ            ０．０１〜０．０５
少なくとも一つの要件を満たす不純物：
Ｔｉ            ≦０．０１
Ｖ              ≦０．０２
Ｍｏ            ≦０．０３
Ｎ              ≦０．００８
Ｂ              ≦０．００３
残部が不純物とは別にＦｅ、
ｃ）少なくとも一つの下記機械的性質
引張強さ（Ｒｍ）              ≧１０２０ＭＰａ
降伏強度（Ｒｐ０．２）        ≧８００ＭＰａ
降伏比（Ｒｐ０．２／Ｒｍ）    ≧０．７８
【００３４】
本発明の別の態様によれば、下記の要件を満たす、高強度冷間圧延鋼板が提供される：
ａ）下記からなる組成（重量％）
Ｃ              ０．０８〜０．１４
Ｍｎ            ２．４〜３．１
Ｓｉ            ０．７〜１．１
Ｃｒ            ０．０５〜０．４５
Ａｌ            ０．００５〜０．１
Ｎｂ            ≦０．０５
下記要件を満たす不純物：
Ｔｉ            ≦０．０５
Ｍｏ            ≦０．０５
Ｎ              ≦０．０１５
Ｂ              ≦０．００５
残部が不純物とは別にＦｅ、
及び／又は
ｂ）下記を有する多相ミクロ組織（体積％）
残留オーステナイト            ２〜２０
マルテンサイト                ≦１５
ベイニティックフェライト      ≧５０
ポリゴナルフェライト          ≦１０、
及び/又は
ｃ）下記機械的性質
引張強さ（Ｒｍ）                １０００〜１１００ＭＰａ
降伏強度（Ｒｐ０．２）          ５８０〜９２０ＭＰａ
全伸び（Ａ５０）                ≧１３％
穴広げ率（λ）                  ≧５０％
降伏比（Ｒｐ０．２／Ｒｍ）      ≦０．８４
【００３５】
本発明の別の態様によれば、下記の要件を満たす、高強度冷間圧延鋼板が提供される：
ａ）下記要件を満たす組成（重量％）
Ｃ              ０．０８〜０．１３
Ｍｎ            ２．５〜３．０
Ｓｉ            ０．７〜１．１
Ｃｒ            ０．１〜０．４
Ｓｉ＋Ｃｒ      ０．９〜１．３
Ａｌ            ０．０１〜０．０８
下記要件を満たす不純物：
Ｔｉ            ≦０．０２
Ｖ              ≦０．０２
Ｍｏ            ≦０．０３
Ｎ              ≦０．００８
Ｂ              ≦０．００３
残部が不純物とは別にＦｅ、
及び／又は
ｂ）下記を有する多相ミクロ組織（体積％）
残留オーステナイト            ５〜１５
マルテンサイト                ≦１０
ベイニティックフェライト      ≧６０
ポリゴナルフェライト          ≦５
及び/又は
ｃ）下記機械的性質
引張強さ（Ｒｍ）                １０００〜１１００ＭＰａ
降伏強度（Ｒｐ０．２）          ７５０〜９００ＭＰａ
穴広げ率（λ）                  ≧６０％
降伏比（Ｒｐ０．２／Ｒｍ）      ０．７８〜０．８３
【００３６】
本発明の別の態様によれば、下記の要件を満たす、高強度冷間圧延鋼板が提供される：
ａ）下記要件を満たす組成（重量％）
Ｃ              ０．０９〜０．１２
Ｍｎ            ２．５〜２．９
Ｓｉ            ０．７〜１．１
Ｃｒ            ０．１〜０．３
Ｓｉ＋Ｃｒ      ０．９〜１．２
Ａｌ            ０．０１〜０．０５
下記要件を満たす不純物：
Ｔｉ            ≦０．０１
Ｖ              ≦０．０２
Ｍｏ            ≦０．０３
Ｎ              ≦０．００８
Ｂ              ≦０．００３
残部が不純物とは別にＦｅ、
及び／又は
ｃ）下記機械的性質
引張強さ（Ｒｍ）                １０００〜１１００ＭＰａ
降伏強度（Ｒｐ０．２）          ７５０〜９２０ＭＰａ
全伸び（Ａ５０）                ≧１３％
穴広げ率（λ）                  ≧５０％
降伏比（Ｒｐ０．２／Ｒｍ）      ０．７８〜０．８２
【００３７】
本発明の別の態様によれば、冷間圧延鋼板の厚さが１．０〜１．６ｍｍ、好ましくは１．１〜１．５ｍｍ、より好ましくは１．２〜１．４ｍｍである、上記に規定の高強度冷間圧延鋼板が提供される。
【００３８】
本発明の別の態様によれば、ベイニティックフェライト及び焼戻しマルテンサイトの合計量が７０〜９０体積％、好ましくは８０〜９０体積％である、上記に規定の高強度冷間圧延鋼板が提供される。
【００３９】
本発明の別の態様によれば、引張強さ（Ｒｍ）と全伸び（Ａ５０）の積が１３０００ＭＰａ％以上、好ましくは１３５００ＭＰａ％以上である、上記に規定の高強度冷間圧延鋼板が提供される。
【実施例】
【００４０】
表１に試験鋼板の組成を開示する。
【００４１】
2020509162.tif 000002
【００４２】
本鋼合金の加熱は連続鋳造機で行われた。スラブは再加熱され、約２．８ｍｍの厚さまで熱間圧延に供された。熱間仕上げ圧延温度は約９００℃であり、巻取り温度は約５５０℃であった。熱間圧延ストリップは酸洗され、熱間圧延ストリップの引張強さを低減して、それにより、冷間圧延力を低減するため、１０時間にわたり５５０℃でバッチアニールされた。その後、ストリップは、５スタンド圧延機で、約１．４ｍｍの最終厚さまで冷間圧延され、最後に、連続アニールに供された。
【００４３】
表２は、熱間及び冷間圧延パラメタを開示する。バッチアニールは、熱間及び冷間圧延工程の間に約１０時間にわたり行った。
【００４４】
【表２】
2020509162.tif 000003
【００４５】
アニールサイクルは、約８５０℃までの加熱、約１２０秒間の水没、約１０℃／ｓの速度で、約７５０℃までのスロージェット冷却、約４０℃／ｓの速度で、約３９０〜４００℃の過時効温度までのラピッドガス冷却、過時効温度での等温保持、及び、周辺温度までの最終冷却で構成された。
【００４６】
【表３】
2020509162.tif 000004
【００４７】
本発明にしたがって製造された材料は、表４に示す優れた機械的性質を有することが分かった。すべての試料は、ベイニティックフェライトのマトリックスを有し、１０％未満のマルテンサイト及び最小量のフェライトを含有していた。
【００４８】
特に、すべての発明例が１３％を超える全伸び（Ａ５０）を示すとともに、穴広げ試験で測定した穴広げ性（λ）が、すべての発明例で、５２％を超えたことに留意されたい。
【００４９】
【表４】
2020509162.tif 000005
【００５０】
Ｒｍ及びＲｐ０．２の値は、ストリップの長手方向から採取された試験片を用いて、欧州標準ＥＮ１０００２Ｐａｒｔ  １に基づいて求められる。全伸び（Ａ５０）は、ストリップの横断方向から採取された試験片を用い、日本工業規格ＪＩＳ  Ｚ２２４１：２０１１に基づいて求められる。
【００５１】
穴広げ率（λ）は、穴広げ試験（ＨＥＴ）に供された三つの試料の平均値で示される。ＩＳＯ／ＴＳ１６６３０：２００９（Ｅ）に準拠した穴広げ試験により測定した。この試験では、６０°の頂部を有する円錐パンチを、１００×１００ｍｍ２のサイズを有する鋼板に設けた直径１０ｍｍのパンチ穴に押し込む。亀裂が認められたら直ちに試験を停止して、穴の直径を、互いに直行する二方向で測定する。算術平均値が計算に用いられる。
【００５２】
穴広げ率（λ）（％）は、次のように計算される。
λ＝（Ｄｈ−Ｄｏ）／Ｄｏ×１００
ただし、Ｄｏは当初の穴直径（１０ｍｍ）であり、Ｄｈは試験後の穴直径である。
【産業上の利用可能性】
【００５３】
本発明の材料は、自動車の高強度構造部品に広く適用することができる。高強度鋼板は、全伸びに対する高い要求と同時に、低いエッジ亀裂感受性を有する部品の製品として、特に好適である。
【手続補正書】
【提出日】令和1年7月26日(2019.7.26)
【手続補正１】
【補正対象書類名】特許請求の範囲
【補正対象項目名】全文
【補正方法】変更
【補正の内容】
【特許請求の範囲】
【請求項１】
下記を有する、高強度冷間圧延鋼板：
ａ）下記の元素からなる組成（重量％）：
Ｃ      ０．０７〜０．１３
Ｍｎ    ２．３〜３．１
Ｓｉ    ０．６５〜１．２
Ｃｒ    ０．０５〜０．５
Ａｌ    ≦０．２
Ｎｂ    ≦０．０５
残部が不純物とは別にＦｅ、
ｂ）ベイニティックフェライトのマトリックス及び１０体積％以下のポリゴナルフェライトを有する多相ミクロ組織、
ｃ）９８０〜１１００ＭＰａの引張強さ（Ｒｍ）
【請求項２】
下記の要件の少なくとも一つを満たす、請求項１に記載の高強度冷間圧延鋼板：
ａ）下記の要件の少なくとも一つを満たす、組成（重量％）：
Ｃ              ０．０８〜０．１３
Ｍｎ            ２．４〜３．１
Ｓｉ            ０．７〜１．１
Ｃｒ            ０．０５〜０．４５
Ａｌ            ０．００５〜０．１
Ｎｂ            ≦０．０５
少なくとも一つの要件を満たす不純物：
Ｔｉ            ≦０．０５
Ｍｏ            ≦０．０５
Ｎ              ≦０．０１５
Ｂ              ≦０．００５
残部が不純物とは別にＦｅ、
ｂ）少なくとも一つの下記を有する多相ミクロ組織（体積％）
残留オーステナイト            ２〜２０
マルテンサイト                ≦１５
ベイニティックフェライト      ≧５０
ポリゴナルフェライト          ≧１０
ｃ）少なくとも一つの下記機械的性質
引張強さ（Ｒｍ）                ９９０〜１１００ＭＰａ
降伏強度（Ｒｐ０．２）          ５８０〜９２０ＭＰａ
全伸び（Ａ５０）                ≧１３％
穴広げ率（λ）                  ≧５０％
降伏比（Ｒｐ０．２／Ｒｍ）      ≧０．７５
【請求項３】
下記を有する、請求項１又は２に記載の高強度冷間圧延鋼板：
ａ）少なくとも一つの下記要件を満たす組成（重量％）
Ｃ              ０．０８〜０．１３
Ｍｎ            ２．５〜３．０
Ｓｉ            ０．７５〜１．０５
Ｃｒ            ０．１〜０．４
Ｓｉ＋Ｃｒ      ０．９〜１．３
Ａｌ            ０．０１〜０．０８
Ｎｂ            ≦０．０１
少なくとも一つの要件を満たす不純物：
Ｔｉ            ≦０．０２
Ｖ              ≦０．０２
Ｍｏ            ≦０．０３
Ｎ              ≦０．００８
Ｂ              ≦０．００３
残部が不純物とは別にＦｅ、
ｂ）下記を有する多相ミクロ組織（体積％）
残留オーステナイト            ５〜１５
マルテンサイト                ≦１０
ベイニティックフェライト      ≧６０
ポリゴナルフェライト          ≦５
ｃ）少なくとも一つの下記機械的性質
引張強さ（Ｒｍ）                １０００〜１１００ＭＰａ
降伏強度（Ｒｐ０．２）          ７５０〜９００ＭＰａ
穴広げ率（λ）                  ≧６０％
降伏比（Ｒｐ０．２／Ｒｍ）      ０．７６〜０．８５
【請求項４】
少なくとも一つの下記要件を満たす、請求項１〜３のいずれか一項に記載の高強度冷間圧延鋼板：
ａ）少なくとも一つの下記要件を満たす組成（重量％）
Ｃ              ０．０９〜０．１２
Ｍｎ            ２．５〜２．９
Ｓｉ            ０．７５〜１．０
Ｃｒ            ０．１〜０．３
Ｓｉ＋Ｃｒ      ０．９〜１．２
Ａｌ            ０．０１〜０．０５
少なくとも一つの要件を満たす不純物：
Ｔｉ            ≦０．０１
Ｖ              ≦０．０２
Ｍｏ            ≦０．０３
Ｎ              ≦０．００８
Ｂ              ≦０．００３
残部が不純物とは別にＦｅ、
ｃ）少なくとも一つの下記機械的性質
引張強さ（Ｒｍ）                ≧１０２０ＭＰａ
降伏強度（Ｒｐ０．２）          ≧８００ＭＰａ
降伏比（Ｒｐ０．２／Ｒｍ）      ≧０．７８
【請求項５】
下記要件を満たす、請求項１又は２に記載の高強度冷間圧延鋼板：
ａ）下記からなる組成（重量％）
Ｃ              ０．０８〜０．１３
Ｍｎ            ２．４〜３．１
Ｓｉ            ０．７〜１．１
Ｃｒ            ０．０５〜０．４５
Ａｌ            ０．００５〜０．１
Ｎｂ            ≦０．０５
下記要件を満たす不純物：
Ｔｉ            ≦０．０５
Ｍｏ            ≦０．０５
Ｎ              ≦０．０１５
Ｂ              ≦０．００５
残部が不純物とは別にＦｅ
及び／又は
ｂ）下記を有する多相ミクロ組織（体積％）
残留オーステナイト            ２〜２０
マルテンサイト                ≦１５
ベイニティックフェライト      ≧５０
ポリゴナルフェライト          ≦１０、
及び/又は
ｃ）下記機械的性質
引張強さ（Ｒｍ）                １０００〜１１００ＭＰａ
降伏強度（Ｒｐ０．２）          ５８０〜９２０ＭＰａ
全伸び（Ａ５０）                ≧１３％
穴広げ率（λ）                  ≧５０％
降伏比（Ｒｐ０．２／Ｒｍ）      ≦０．８４
【請求項６】
下記要件を満たす、請求項３に記載の高強度冷間圧延鋼板：
ａ）下記要件を満たす組成（重量％）
Ｃ              ０．０８〜０．１３
Ｍｎ            ２．５〜３．０
Ｓｉ            ０．７〜１．１
Ｃｒ            ０．１〜０．４
Ｓｉ＋Ｃｒ      ０．９〜１．３
Ａｌ            ０．０１〜０．０８
下記要件を満たす不純物：
Ｔｉ            ≦０．０２
Ｖ              ≦０．０２
Ｍｏ            ≦０．０３
Ｎ              ≦０．００８
Ｂ              ≦０．００３
残部が不純物とは別にＦｅ、
及び／又は
ｂ）下記を有する多相ミクロ組織（体積％）
残留オーステナイト            ５〜１５
マルテンサイト                ≦１０
ベイニティックフェライト      ≧６０
ポリゴナルフェライト          ≦５
及び/又は
ｃ）下記機械的性質
引張強さ（Ｒｍ）                １０００〜１１００ＭＰａ
降伏強度（Ｒｐ０．２）          ７５０〜９００ＭＰａ
穴広げ率（λ）                  ≧６０％
降伏比（Ｒｐ０．２／Ｒｍ）      ０．７８〜０．８３
【請求項７】
下記要件を満たす、請求項１〜６のいずれか一項に記載の高強度冷間圧延鋼板：
ａ）下記要件を満たす組成（重量％）
Ｃ              ０．０９〜０．１２
Ｍｎ            ２．５〜２．９
Ｓｉ            ０．７〜１．１
Ｃｒ            ０．１〜０．３
Ｓｉ＋Ｃｒ      ０．９〜１．２
Ａｌ            ０．０１〜０．０５
下記要件を満たす不純物：
Ｔｉ            ≦０．０１
Ｖ              ≦０．０２
Ｍｏ            ≦０．０３
Ｎ              ≦０．００８
Ｂ              ≦０．００３
残部が不純物とは別にＦｅ、
及び／又は
ｃ）下記機械的性質
引張強さ（Ｒｍ）                １０００〜１１００ＭＰａ
降伏強度（Ｒｐ０．２）          ７５０〜９２０ＭＰａ
全伸び（Ａ５０）                ≧１３％
穴広げ率（λ）                  ≧５０％
降伏比（Ｒｐ０．２／Ｒｍ）      ０．７８〜０．８２
【請求項８】
前記冷間圧延鋼板の厚さが１．０〜１．６ｍｍである、請求項１〜７のいずれか一項に記載の高強度冷間圧延鋼板。
【請求項９】
ベイニティックフェライト及び焼戻しマルテンサイトの合計量が７０〜９０体積％である、請求項１〜８のいずれか一項に記載の高強度冷間圧延鋼板。
【請求項１０】
引張強さ（Ｒｍ）と全伸び（Ａ５０）の積が１３０００ＭＰａ％以上である、請求項１〜９のいずれか一項に記載の高強度冷間圧延鋼板。
【国際調査報告】
2020509162.tif 000006
2020509162.tif 000007
2020509162.tif 000008